(57)【要約】【課題】  ビデオカメラのシャッターと連動し、ビデオライトの発光を制御することにより消費電力を下げる。【解決手段】  図２のように、３０フレーム／秒、シャッタースピード１／６０秒の動作をしている場合、露出している時間は全体の半分である。そこで、ビデオカメラのＣＣＤが露出している時は、ビデオライトを発光し、露出していない時は、ビデオライトを消灯する。この事により必要のない照明時間を無くす事が出来、消費電力を下げることが出来る。【選択図】  図２
2006349833.tif 000002
【特許請求の範囲】
【請求項１】
ビデオカメラの露光を検出する手段と、前記検出手段により得られたビデオカメラの露光の情報によってライトの光量を制御する制御手段とを備えることを特徴とするビデオカメラ用照明装置。
【請求項２】
ビデオカメラの露光と同期し、露光時には発光、非露光時には消灯または、減光する制御することを特徴とする請求項１記載のビデオカメラ用照明装置。
【請求項３】
ビデオカメラの露光と同期し、露光時には消灯または、減光し、非露光時には発光する制御することを特徴とする請求項１記載のビデオカメラ用照明装置。
【請求項４】
発光素子の温度を検出する手段と、前記検出手段により得られた値が、決められた設定値もしくは、可変する設定値になるように発光素子の点灯、発光量を制御する制御手段とを備えることを特徴とする請求項１，２，３記載のビデオカメラ用照明装置。
【発明の詳細な説明】
【技術分野】
【０００１】
本発明は、ビデオカメラ用照明装置の制御に関するものである。
【背景技術】
【０００２】
従来のビデオカメラ用照明装置をビデオカメラのフレームごとに発光させる技術には２つの走査線を飛び越して発光させるものがある（例えば、特許文献１参照。）
以下、従来の技術について説明する。
【０００３】
線順次走査と飛び越し走査による撮像を選択的に行うビデオカメラにおいて、線順次走査による撮像を行うときは、図４（ａ）のようにＣＣＤが１フレーム撮像する間にスピードライトを１回発光させる。飛び越し走査による撮像を行うときは、従来技術１では（ｂ）のように１フレームに１回発光させたのに対して、従来技術２では（ｃ）のように１フレームを構成する第１、第２フィールドを撮像する間にスピードライトを各１回発光させる。従来技術２により飛び越し走査の時に、一フレームに発光させたときのフィールドと画像と発光させたいときのフィールドの画像とが混在してしまうことをなくすことができる。
【特許文献１】特開２０００-１３６５７
【発明の開示】
【発明が解決しようとする課題】
【０００４】
しかしながら、上記従来例は静止画を得るための技術であり、動画を撮る用途には向いていなかった。動画を撮る時は、シャッタースピードが被写体に応じて変化したり、撮影者の意図によって変えられるため、シャッタースピードと照明の照射時間を合わせないと、意図した作品が撮れないことがある。また、ビデオライトにより被写体に照明をあて動画を撮影する時に、現在のビデオカメラではビデオライトを常に発光している。そのため、ライトを発光させるために電力を大きく消費し、バッテリーの持続時間も短くなってしまう。
【０００５】
また、発熱する発光素子の放熱器は、温度が最も上がる最高使用環境温度において問題がないように設計する必要があるため、低温時には不必要な放熱器の大きさとなり無駄が多かった。
【０００６】
本発明は上記の問題を解決するもので、撮影者の意図した動画を撮影し、なおかつ省電力を図ることを目的とする。
【課題を解決するための手段】
【０００７】
本出願に係る発明の目的を実現する構成は、請求項１に記載のように、ビデオカメラの露光を検出する手段と、前記検出手段により得られたビデオカメラの露光の情報によってライトの光量を制御する制御手段とを備えることを特徴とするビデオカメラ用照明装置である。
【０００８】
また、請求項２に記載のように、ビデオカメラの露光と同期し、露光時には発光、非露光時には消灯または、減光する制御することを特徴とすることにより消費電力を抑えることが出来る。
【０００９】
そして、請求項３に記載のように、ビデオカメラの露光と同期し、露光時には消灯または、減光し、非露光時には発光する制御することを特徴とすることにより照明していない動画を被写体を照明しながら撮影することが出来る。
【００１０】
また、本発明の照明装置は、請求項４に記載のように、発光素子の温度を検出する手段と、前記検出手段により得られた値が、決められた設定値もしくは、可変する設定値になるように発光素子の点灯、発光量を制御する制御手段とを備えることを特徴とすることにより使用時の環境温度によらず、発光素子の温度を一定に保つことが出来るので、低温時の放熱装置の無駄を少なくする事が出来、使用環境下で最適な発光量を得、照明装置を小型化する事が出来る。
【発明の効果】
【００１１】
請求項１，２に記載の発明によれば、ビデオカメラが露光していない時のビデオライトの消費電力を下げることが出来る。
【００１２】
請求項３に記載の発明によれば、暗い映像を撮影したい時に、被写体が暗く撮影しづらいという問題を改善することが出来る。
【００１３】
請求項４に記載の発明によれば、使用時の環境温度によらず、発光素子の温度を一定に保つことが出来るので、低温時の放熱装置の無駄を少なくする事が出来、使用環境下で最適な発光量を得、照明装置を小型化する事が出来る。
【発明を実施するための最良の形態】
【００１４】
本発明の一実施の形態を図に基づいて説明する。
【００１５】
図１は本発明の実施の形態の構成を示すブロック図である。
【００１６】
１００はビデオカメラユニットである。２００はビデオライトユニットである。１０１はレンズユニットであり、フォーカスやズームを制御する。１０２はシャッターユニットであり、機械式または電子式により露光時間を制御する。１０３はＣＣＤユニットであり、レンズユニット１０１、シャッターユニット１０２を通った光を検出する。１０４は映像処理部であり、ＣＣＤユニット１０３で検出した情報を動画へ変換する。１０５はＣＰＵである。１０６は記録装置であり、映像処理部１０４により作成された動画をテープやディスク等の記録媒体へ記録する。１０７は接続部であり、ビデオカメラ１０１とビデオライト２０１を接続する。２０１は電池であり、ビデオライトを発光させる電力を供給する。２０２はＬＥＤなどの発光素子が配置された発光部である。２０３はレンズであり、発光部２０２からの光の方向や照射範囲を変える。２０４は温度センサーであり、発光部の発光素子の温度を検出する。２０５は制御部であり、電池２０１より供給された電力を発光部２０２へ送り発光素子を発光させる。
【００１７】
シャッター１０２のシャッタースピードとタイミングの情報は、ＣＰＵ１０５、接続部１０７をかいして制御部２０５へ送られる。制御部２０５は電池２０５の電力を使い、得られたシャッター情報に応じて発光部２０２の発光を制御する。
【００１８】
温度センサー２０４の情報は、制御部２０５へ送られ、温度センサー２０４の温度が任意の温度になるように発光を制御する。
【００１９】
図２は本発明の第１の実施の形態を示すタイミングチャートである。
【００２０】
図は３０フレーム／秒、シャッタースピード１／６０秒の動作をあらわしており、シャッター１０２によってＣＣＤ１０３が露光されている時は、ビデオライトユニット２００は発光し、ＣＣＤ１０３が露光されていない時は、ビデオライトユニット２００は消灯している。この状態では、常時発光する動作と比べ約半分の電力で被写体に照明をすることが出来る。
【００２１】
図３は本発明の第２の実施の形態を示すタイミングチャートである。
【００２２】
図は３０フレーム／秒、シャッタースピード１／６０秒の動作をあらわしており、シャッター１０２によってＣＣＤ１０３が露光されていない時は、ビデオライトユニット２００は発光し、ＣＣＤ１０３が露光されている時は、ビデオライトユニット２００は消灯している。これにより、撮影者は明るい被写体を確認しながらライトを発光していない状態の動画を撮ることが出来る。
【図面の簡単な説明】
【００２３】
【図１】本発明の実施の形態に係る構成を示すブロック図である。
【図２】本発明の第１の実施の形態を示すタイミングチャートである。
【図３】本発明の第２の実施の形態を示すタイミングチャートである。
【図４】従来例の技術を示すタイミングチャートである。
【符号の説明】
【００２４】
１００  デジタルビデオカメラユニット
１０１  レンズ
１０２  シャッター
１０３  ＣＣＤ
１０４  映像処理部
１０５  ＣＰＵ
１０６  記録装置
１０７  接続部
２００  ビデオライトユニット
２０１  電池
２０２  発光部
２０３  レンズ
２０４  温度センサー
２０５  制御部
【図１】
2006349833.tif 000003
【図２】
2006349833.tif 000004
【図３】
2006349833.tif 000005
【図４】
2006349833.tif 000006